(57)【要約】 【課題】  形体、美観に優れ、犬の散歩に携帯しやすく、そして糞の捕捉と持ち運び排出の全ての操作が手元で出来る犬糞等の捕捉運び器具を得る。  【解決手段】  柄の把持部より伸びる長い柄部の先に揺動支持部を設け、該揺動支持部に各々その後部側を支持され対向方向に揺動運動して開閉する受容器と蓋を設け、該受容器と蓋を柄部上に滑動可能に設けた操作ロッド手段とリンクを介して連結し、把持部側に設けた操作ロッド手段の操作部の操作により蓋が被さる時に受容器が柄部と略直角に上向きになり、糞の排出の時に柄部と略平行に前向きに大きく開き、その開閉の間の位置で受容器が糞の捕捉に適した傾きで開くようにする。  【選択図】        図１
2006136301.tif 000002
【特許請求の範囲】
【請求項１】
把持部より先方へ棒状に長く伸び出す柄部の先に少なくとも一箇所の該柄部と直角方向の揺動軸線を有する揺動支持部を備える柄と、前記揺動軸線と略平行に開く開口部と窪んだ内壁部を有しその開口部付近の後ろ側の一箇所を前記揺動支持部に嵌め合わされ前記揺動軸線の周りに揺動可能に支持された受容器と、前記揺動軸線と略平行且つ前記開口部を密に接近して被う周縁手段と内側の被い部を有しその周縁部付近の後ろ側の一箇所を前記揺動支持部に嵌め合わされ前記受容器と対向方向に揺動可能に支持された蓋と、前記受容器の外壁の一部にその下端部を前後に回転自在に連結された後リンクと、前記蓋の一部にその下端部を前後に回転自在に連結された前リンクと、前記柄部上に移動可能に保持されその下部に前記後リンクと前記前リンクの各々上端側を前後に回転自在に連結保持するリンク保持部とその上部の移動と保持の操作部を固定に備える操作ロッド手段を有することを特徴とする犬糞等の捕捉運び器具。
【請求項２】
把持部より先方へ棒状に長く伸び出す柄部の先に該柄部と直角方向で且つ互いに平行な揺動軸線を有する受容器の揺動支持部と蓋の揺動支持部をそれぞれ備える柄と、前記揺動軸線と略平行に開く開口部と窪んだ内壁部を有しその開口部付近の後ろ側の一箇所を前記受容器の揺動支持部に嵌め合わされその揺動軸線の周りに揺動可能に支持された受容器と、前記揺動軸線と略平行且つ前記開口部を密に接近して被う周縁手段と内側の被い部を有しその周縁部付近の後ろ側の一箇所を前記蓋の揺動支持部に嵌め合わされ前記受容器と対向方向に揺動可能に支持された蓋と、前記受容器の外壁の一部にその下端部を前後に回転自在に連結された後リンクと、前記蓋の外壁の一部にその下端部を前後に回転自在に連結された前リンクと、前記柄部上に移動可能に保持されその下部に前記後リンクと前記前リンクの各々上端側を前後に回転自在に連結保持するリンク保持部とその上部の移動と保持の操作部を固定に備える操作ロッド手段を有することを特徴とする犬糞等の捕捉運び器具。
【請求項３】
操作部に柄部に交差する方向の一方側に突出する操作レバーと、前記操作レバーの内側下部に揺動保持手段により支持され前後方向にシーソーに揺動運動しその下端に前方に突出する止めピンを備えるくの字形の止めレバーと、前記柄部の操作部側の外周部の前記止めピンの突出する位置に開けられた止め孔を有することを特徴とする請求項１及び２記載の犬糞等の捕捉運び器具。
【請求項４】
操作部に柄部に交差する方向の一方側に突出する操作レバーと、前記操作レバー内に揺動保持手段により保持され上下方向に揺動し少なくともその一部を前記操作レバーの上側に露出するレバー部と前後方向に揺動する元部側の止め突起と前記揺動保持手段の下側に設けた歯を有する上側の止めレバーと、前記操作レバー内に揺動保持手段に前記上側の止めレバーと対称形に保持され少なくともその一部を前記操作レバーの下側に露出するレバー部とその揺動保持手段の上側に前記上側の止めレバーの前記歯と噛合う歯からなる揺動連結部を形成し前記上側の止めレバーと対向する方向に揺動する下側の止めレバーと、前記上下両止めレバーのレバー部の間に設けられた開きバネと、前記柄部の操作部側の外周部の前記止め突起が突出する位置に開けられた止め孔を有することを特徴とする請求項１及び２記載の犬糞等の捕捉運び器具。
【請求項５】
その周縁部に受容器の開口部の内側に密接するシールリングからなる周縁手段を備える蓋を有することを特徴とする請求項１及び２記載の犬糞等の捕捉運び器具。
【請求項６】
柄の柄部の上端に該柄部に対して前後方向にＴ字形の把持部を備えることを特徴とする請求項１及び２記載の犬糞等の捕捉運び器具。
【発明の詳細な説明】
【技術分野】
【０００１】
本発明は、犬等の散歩の際に持ち歩き、その糞を捕捉しそれを決められた場所に排出するための犬糞等の捕捉運び器具に関する。
【背景技術】
【０００２】
従来、犬の糞の捕捉と持ち帰りのための器具が販売されている。これらの多くは、地面上にある犬の糞を掬い取る、あるいは挟み取る器具と糞を入れる袋等からなっているものが主である。登録実用新案第３０５１１６０号の携帯型ペット糞捕集器は伸縮出来る把手の先のヒンジ部に支持された掛止環部にビニール袋を取り付けるようになっている。これらは掛止環部に手を触れる必要があり、又、携帯して持ち歩くには不便で、人目にも抵抗を感ずる欠点がある。米国特許第４０４２２６９号の清潔な動物糞の除去装置、米国特許第４５５５１３２号の携帯用の犬の便器等は手元の握り部より伸びる柄部の端にカップ状の受容器を糞の捕捉に適した傾きで固定に備え、該受容器の上部に手元で開閉操作の出来るようにしたちょうつがい式に動く蓋を備えるものである。
【特許文献１】登録実用新案第３０５１１６０号広報
【特許文献２】米国特許第４０４２２６９号広報
【特許文献３】米国特許第４５５５１３２号広報
【発明の開示】
【発明が解決しようとする課題】
【０００３】
前述にあげた器具の欠点は、受容器が糞の捕捉に適した傾きに固定されているので糞の排出がやり辛いことである。その結果、受容器の底をも開くようにするなどの複雑化を招く。又、糞の捕捉後に垂直に提げて持ち歩く際に、受容器の開口部側が横に傾くので蓋を確り閉止するように構造上の点からも、使用に際しても神経を使わねばならないことである。さらに、小さい受容器の内側に付着した糞の除去や清掃がやり難いことである。
従来から市販されている犬の糞の捕捉運び器具等は、一般に扱い辛い上にこれらを持ち運ぶにも見目が悪く敬遠される欠点があった。
本発明の目的は、糞の捕捉と収納そして排出の操作に優れ、しかもその形体、美観にも優れており犬の散歩に携帯するにも抵抗を感ずることない犬糞等の捕捉運び器具を提供するにある。
本発明の他の目的は、操作部の簡単な操作で受容器が捕捉しやすい向きに開き、捕捉した後は蓋をして運びやすいような向きに保たれ、手に持ったまま簡単な操作で受容器を排出しやすい向きに大きく開くことが出来る犬糞等の捕捉運び器具を提供するにある。
本発明のさらに他の目的は、器内に雨水などが侵入し難く、且つ犬糞等の臭いが外部にもれない捕捉運び器具を提供するにある。
本発明のさらに他の目的は、水洗いの際に受容器の内部と外周部が掃除しやすくいつも清潔に美麗に保て、コンパクトで収容量の大きな犬糞等の捕捉運び器具を提供するにある。
本発明のさらに他の目的は、犬の散歩等の際に持ち歩きやすくしかも捕捉や排出の操作がしやすい把持部と操作部を有する犬糞等の捕捉運び器具を提供するにある。
【課題を解決するための手段】
【０００４】
上記目的を達成するために、本発明は、把持部より先方へ棒状に長く伸び出す柄部の先に少なくとも一箇所の該柄部と直角方向の揺動軸線を有する揺動支持部を備える柄と、前記揺動軸線と略平行に開く開口部と窪んだ内壁部を有しその開口部付近の後ろ側の一箇所を前記揺動支持部に嵌め合わされ前記揺動軸線の周りに揺動可能に支持された受容器と、前記揺動軸線と略平行且つ前記開口部を密に接近して被う周縁手段と内側の被い部を有しその周縁部付近の後ろ側の一箇所を前記揺動支持部に嵌め合わされ前記受容器と対向方向に揺動可能に支持された蓋と、前記受容器の外壁の一部にその下端部を前後に回転自在に連結された後リンクと、前記蓋の一部にその下端部を前後に回転自在に連結された前リンクと、前記柄部上に移動可能に保持されその下部に前記後リンクと前記前リンクの各々上端側を前後に回転自在に連結保持するリンク保持部とその上部の移動と保持の操作部を固定に備える操作ロッド手段を有する犬糞等の捕捉運び器具である。
そこで、前記操作ロッド手段が一方位置に移動して保持される時に前記受容器が前記柄部と略直角に上向きになりその上部に前記蓋が下向きに被さり前記周縁手段が前記受容器の前記開口部を塞ぎ、前記操作ロッド手段が他方の位置に移動して保持される時に前記受容器と前記蓋が前記柄部の一方側に大きく傾いて開き、前記操作ロッド手段がその移動の中間の位置に保持される時に前記受容器の前記開口部が糞の捕捉に適した傾きで開かれる。
【０００５】
さらに又、本発明は把持部より先方へ棒状に長く伸び出す柄部の先に該柄部と直角方向で且つ互いに平行な揺動軸線を有する受容器の揺動支持部と蓋の揺動支持部をそれぞれ備える柄と、前記揺動軸線と略平行に開く開口部と窪んだ内壁部を有しその開口部付近の後ろ側の一箇所を前記受容器の揺動支持部に嵌め合わされその揺動軸線の周りに揺動可能に支持された受容器と、前記揺動軸線と略平行且つ前記開口部を密に接近して被う周縁手段と内側の被い部を有しその周縁部付近の後ろ側の一箇所を前記蓋の揺動支持部に嵌め合わされ前記受容器と対向方向に揺動可能に支持された蓋と、前記受容器の外壁の一部にその下端部を前後に回転自在に連結された後リンクと、前記蓋の外壁の一部にその下端部を前後に回転自在に連結された前リンクと、前記柄部上に移動可能に保持されその下部に前記後リンクと前記前リンクの各々上端側を前後に回転自在に連結保持するリンク保持部とその上部の移動と保持の操作部を固定に備える操作ロッド手段を有する犬糞等の捕捉運び器具とすることも出来る。
【０００６】
操作部に柄部に交差する方向の一方側に突出する操作レバーと、前記操作レバーの内側下部に揺動保持手段により支持され前後方向にシーソーに揺動運動しその下端に前方に突出する止めピンを備えるくの字形の止めレバーを設け、前記柄部の操作部側の外周部の前記止めピンの突出する位置に開けた止め孔を設けると良い。
【０００７】
操作部に柄部に交差する方向の一方側に突出する操作レバーと、前記操作レバー内に揺動保持手段により保持され上下方向に揺動し少なくともその一部を前記操作レバーの上側に露出するレバー部と前後方向に揺動する元部側の止め突起と前記揺動保持手段の下側に設けた歯を有する上側の止めレバーと、前記操作レバー内に揺動保持手段に前記上側の止めレバーと対称形に保持され少なくともその一部を前記操作レバーの下側に露出するレバー部とその揺動保持手段の上側に前記上側の止めレバーの前記歯と噛合う歯からなる揺動連結部を形成し前記上側の止めレバーと対向する方向に揺動する下側の止めレバーと、前記上下両止めレバーのレバー部の間に設けられた開きバネを設け、前記柄部の操作部側の外周部の前記止め突起が突出する位置に開けた止め孔を設けたものとすることも出来る。
【０００８】
上記周縁手段は、蓋の周縁部に受容器の開口部の内側に密接するシールリングを有するものとすることが出来る。
【０００９】
柄の柄部の上端に該柄部に対して前後方向にＴ字形の把持部を備えると良い。
【００１０】
本発明の器具は、地面にある糞を救い取るよりも、主として犬がまさに排糞中のところに立位ないし、いくぶん腰を屈めるようにして犬の糞口の下に受容器の上部の開口部を近づけて器内にその糞を捕捉するものである。
従って、柄部の長さは十分な長さが望ましく、目で確かめながら捕捉器の前部の開口部を犬の糞口の下にあてがう。その際に、柄部の角度は平坦な地面の垂線に対し４５°程度が適当であろう。
勿論、本犬糞等の捕捉運び器具は操作部を操作しながら受容器を開いて地面上の糞を挟み取ったり、掬い取ることも出来るようになっている。
【発明の効果】
【００１１】
長い柄部の先に支持され対向に揺動する受容器と蓋が手元の操作部の簡単な操作で捕捉しやすい向きに開き、捕捉した後は蓋をして運びやすいような向きに保たれ、手に縦に持ったまま受容器を糞の排出がしやすい向きに大きく傾けて開くことが出来る犬糞等の捕捉運び器具が得られる。
【００１２】
受容器と蓋の後ろ側を揺動支持部に対向方向に揺動するように支持せしめたことにより、捕捉時に受容器の開口部を大きく開くことの出来る犬糞等の捕捉運び器具が得られた。
【００１３】
さらに、蓋の周縁部に受容器の開口部の内側に密接するシールリングを取付けることにより受容器の開口部が密閉され、雨水等の侵入や臭気の洩れも少なく、ガタのない確りした犬糞等の捕捉運び器具が得られた。
【００１４】
柄部の上端にＴ字形の把持部を設けたことで、持ち歩きやすく操作しやすい犬糞等の捕捉運び器具になっている。
【００１５】
操作レバー内でそのレバー部の後部を上下に露出して対称形に保持され、操作時の指の力で操作ロッド手段の移動保持を解除する対向方向に揺動する上下一対の止めレバーを備える操作部を設けたことにより、把持部を持ったまま指先で受容器と蓋の開閉操作並びに移動止め操作が出来る。
【発明を実施するための最良の形態】
【００１６】
把持部より伸びる長い柄部の先に後部を支持され対向方向に揺動運動して開閉する受容器と蓋を設け、該受容器と蓋を柄部上に滑動可能に設けた操作ロッド手段とリンクを介して連結し、把持部側に設けた操作ロッド手段の操作部の操作により蓋が被さる時に受容器が柄部と略直角に上向きになり、排出の時に柄部と略平行に前向きに大きく開き、その開閉の略中間の位置で糞の捕捉が出来るようになっている。
【実施例１】
【００１７】
図１〜３において柄１の柄部２の先の前側に一つのピンからなる揺動支持部４が設けてある。該揺動支持部４は柄部２と直角に交差する方向の揺動軸線３を有する。該揺動支持部４の前部に揺動軸線３と略平行に開く平坦な開口部６を有するお椀状の受容器８があり、該受容器８の後側の開口部６近くに設けられたボス部を揺動支持部４に嵌め合わされて揺動軸線３の周りに揺動可能に支持されている。受容器８の上部には揺動軸線３と略平行且つ開口部６可能に支持された蓋１１が設けてある。周縁手段９部分には蓋の周縁部に受容器の開口部６の内側にぴったり密接するシールリング２０が嵌まっている。受容器８の後側の下部に連結ピンのボス部２７が設けてあり、該ボス部２７にピン２８を介して後リンク１２の下端部が前後に回転自在に連結されている。一方、蓋１１の略中央部に連結ピンのボス部２９が設けてあり、該ボス部２９にピン３０を介して前リンク１３の下端部が前後に回転自在に連結されている。柄部２にはパイプで造られた操作ロッド手段１６が上下に滑動可能に嵌め合わされている。該操作ロッド手段１６の下部には後リンク１２と前リンク１３の各々上端側をピン３１及び３２を介して前後方向に回転自在に連結保持するリンク保持部１４が設けてある。
把持部１′の下側にある操作ロッド手段１６の上端部には後方に引き金状に伸びる操作レバー２１が固定に設けてあり、操作部１５をなしている。操作レバー２１の内側下部には該操作レバー２１にピン２２の揺動保持手段により支持され前後方向にシーソーに揺動するくの字形の止めレバー２３が設けてある。該止めレバー２３はその下端に前方に突出する止めピン３３を備えている。一方、柄部２には操作部１５側の外周部に下から順に止め孔３４、３５、３６が設けてある。
そこで、把持部１′を持つ手の指で操作レバー２１を操作して操作ロッド手段１６を符号Ｌから符号Ｔまでの間を上下に移動させることが出来る。
図１は操作レバー２１が符号Ｌの位置にあって、蓋１１がされ柄部２を縦（垂直）にした状態を示している。止めレバー２３は押されており、操作ロッド１６は動きが止められて受容器８と蓋１１を動かないように保持している。
通常は、この縦にした状態で持ち歩く。受容器８は略水平になり蓋１１は確りと塞がれており、糞がこぼれ出る恐れがない。
ここで、糞の排出は図４のように縦にした状態で行うことが出来る。止めレバー２３を操作して図のように操作レバー２１を符号Ｔの位置まで移動させる。操作部１５がこの位置に保持される時に、受容器８の開口部６と蓋１１は前方に大きく開かれる。
図５は柄部２が垂直方向に対して４５°後ろ側に傾いた状態で、操作レバー２１が中間の符号Ｍの位置にある状態で描かれている。図示の位置において受容器８と蓋１１は前側に傾いて開口部６が略水平に開いており、排糞中の捕捉に適した向きで開口部６の前側が開かれている。
【実施例２】
【００１８】
図６〜７は本発明のさらに他の実施例を示す。ここでは柄１aの柄部２aの先の前側に上下に二つのピンの揺動支持部４aと揺動支持部４a′が設けてある。これら揺動支持部４aと揺動支持部４a′は平行で柄部２aと直角に交差する方向の揺動軸線を有する。揺動支持部４aの前部に揺動軸線と略平行に開く平坦な開口部６aを有するお椀状の受容器８aがあり、該受容器８aの後側の開口部６a近くに設けられたボス部を揺動支持部４aに嵌め合わされて揺動軸線の周りに揺動可能に支持されている。揺動支持部４a′の前部には揺動軸線と略平行且つ開口部６aを密に接近して被う周縁手段９aと内側の被い部１０aを有する蓋１１aが設けてある。該蓋１１aの略中央部に連結ピンのボス部２９aが設けてあり、該ボス部２９aにピン３０aを介して前後に伸びる揺動リンク５０の前端側が連結されている。該揺動リンク５０の後ろ側は揺動支持部４a′に嵌め合わされており、受容器８aと対向方向に揺動可能に支持されている。受容器８aの後側の下部に連結ピンのボス部２７aが設けてあり、該ボス部２７aにピン２８aを介して後リンク１２aの下端部が前後に回転自在に連結されている。一方、蓋１１aのボス部２９aにはピン３０aを介して前リンク１３aの下端部が前後に回転自在に連結されている。柄部２aにはパイプで造られた操作ロッド手段１６aが上下に滑動可能に嵌め合わされている。該操作ロッド手段１６aの下部には後リンク１２aと前リンク１３aの各々上端側をピン３１a及び３２aを介して前後方向に回転自在に連結保持するリンク保持部１４aが設けてある。操作ロッド手段１６aの上端部には前方に引き金状に伸びる操作レバー２１aを有する操作部１５aが固定に設けてある。該操作部１５aの詳細は次の実施例で説明されるのでここでは省略する。
図６はこの蓋がされ柄部２aを縦（垂直）にした状態を示している。操作ロッド手段１６aは該操作部１５aにより動きが止められて受容器８aと蓋１１aを動かないように保持している。この時、蓋１１aはピン３０aを支点にして前後に僅かに揺動することが出来、周縁手段９aが受容器の開口部６aの内側にぴったり沿うように被さるのを可能にする。
通常は、この縦にした状態で持ち歩く。受容器８aは略水平になり蓋１１aは確りと塞がれており、糞がこぼれ出る恐れがない。
ここでも、糞の排出は図７のように縦にした状態で行うことが出来る。図のように操作部１５aを最上の位置をまで移動させこの位置に保持する時に、受容器８aの開口部６aと蓋１１aは前方に大きく開かれる。
【実施例３】
【００１９】
図８は前の実施例の操作部の他の実施例を示す。ここで、操作ロッド手段１６ｂはリンク保持部１４ｂと操作部１５ｂとを備える細い二本のロッドからなっている。該操作ロッド手段１６ｂのロッドは柄部２ｂの両横側に設けられている。そして該操作ロッド手段１６ｂの上部に固定される操作部１５ｂには前側に突出する操作レバー２１ｂが設けられている。操作レバー２１ｂの指当て部の内部には上側と下側に露出して蝶の羽のように対向に揺動する上側の止めレバー４１と下側の止めレバー４１′が設けてある。一方、柄部２ｂの前側部分には操作部１５ｂの所定の移動止め位置に止め孔４７が穿たれている。
上側の止めレバー４１はピン４０の揺動保持手段により操作レバー２１ｂ側に保持されており、ピン４０を中心に柄部２ｂの上下方向に揺動するレバー部４２と前後方向に揺動する元部側の止め突起４５を有する。下側の止めレバー４１′は操作レバー２１ｂ内に止めレバー４１と対称形にピン４０′の揺動保持手段により保持されている。該止めレバー４１′の元部側には柄部２ｂの前側面を押すように形成された摩擦シュー４６が設けてある。止めレバー４１と止めレバー４１′の元側の対面部には互いに相手側の歯と噛合った歯車の歯のような揺動連結部３８を有する。そこで、止めレバー４１と止めレバー４１′は一方側が揺動する時、他方側は対向する方向に揺動する。両止めレバー４１、４１′のレバー部４２と４２′の間には該両レバー部４２と４２′を互いに開く方向に働く開きバネ３９が挿入してある。そこで、操作ロッド手段１６ｂが所定の移動位置にきたときに上側の止めレバー４１の止め突起４７が柄部２ｂの前側の止め孔４７に嵌まり両レバー部４２と４２′の後端側が操作レバー２１ｂより大きく露出する。そして操作ロッド手段１６ｂは上下に移動することなくその位置に保持される。ここで止め突起４５は止め孔４７との間で操作ロッド手段１６ｂの上方向への移動、即ち蓋が開く方向への移動を強く止めるように働く。そして摩擦シュー４６は止め突起４５の止め孔４７への侵入深さを維持すると共に、柄部２ｂの表面との摩擦力による移動抵抗で蓋やリンクの振動を抑える。
【産業上の利用可能性】
【００２０】
本発明は、糞の捕捉と収納そして排出の操作に優れ、しかもその形体、美観にも優れており犬の散歩に携帯するにも抵抗を感ずることない犬糞等の捕捉運び器具であるから、ペット好きの人々や糞害に悩む人々にとって助けになる。
【図面の簡単な説明】
【００２１】
【図１】実施例を示す捕捉運び器具の側面図で、蓋が被さった状態を柄部を縦にして示す図である。
【図２】図１における２−２矢視図である。
【図３】図１の実施例の操作部周り部分を拡大して示す図である。
【図４】図１の実施例の側面図で、蓋と受容器がいっぱいに開かれた状態を柄部を縦にして示す図である。
【図５】図１の実施例の柄部を後方に４５°倒して示す側面図で、受容器が糞の捕捉に適した向きに開かれた図である。
【図６】他の実施例を示す捕捉運び器具の側面図で、蓋が被さった状態を柄部を縦にして示す図である。
【図７】図６の実施例の側面図で、蓋と受容器がいっぱいに開かれた状態を柄部を縦にして示す図である。
【図８】他の実施例を示す捕捉運び器具の側面図で、操作部周りを拡大して示す図である。
【符号の説明】
【００２２】
１、１a、1b  柄
１′、１a′、１b′ 把持部
２、２a、２b 柄部
３  揺動軸線
４、４a、４a′  揺動支持部
６、６a  開口部
７、７a  内壁部
８、８a、８ｂ  受容器
９、９a  周縁手段
１０、１０a  被い部
１１、１１a 、１１ｂ 蓋
１２、１２a 、１２ｂ 後リンク
１３、１３a 、１３ｂ 前リンク
１４、１４a 、１４ｂ リンク保持部
１５、１５a 、１５ｂ 操作部
１６、１６a 、１６ｂ 操作ロッド手段
１８、１８a  脚
２０、２０a  シールリング
２１、２１a 、２１ｂ 操作レバー
２２  ピン（揺動保持手段）
２３  止めレバー
２４  弾性体ノッチ
２５  ノッチ溝
２６  抵抗保持手段
２７、２７a  ボス部
２９、２９a  ボス部
３３  止めピン
３４、３５、３６  止め孔
３８  揺動連結部
３９  開きバネ
４０、４０′  ピン（揺動保持手段）
４１、４１′  止めレバー
４２、４２′  レバー部
４５  止め突起
４６  摩擦シュー
４７  止め孔
５０  揺動リンク
【図１】
2006136301.tif 000003
【図２】
2006136301.tif 000004
【図３】
2006136301.tif 000005
【図４】
2006136301.tif 000006
【図５】
2006136301.tif 000007
【図６】
2006136301.tif 000008
【図７】
2006136301.tif 000009
【図８】
2006136301.tif 000010
【手続補正書】
【提出日】平成18年1月10日(2006.1.10)
【手続補正１】
【補正対象書類名】明細書
【補正対象項目名】００１７
【補正方法】変更
【補正の内容】
【００１７】
図１〜３において柄１の柄部２の先の前側に一つのピンからなる揺動支持部４が設けてある。該揺動支持部４は柄部２と直角に交差する方向の揺動軸線３を有する。該揺動支持部４の前部に揺動軸線３と略平行に開く平坦な開口部６を有するお椀状の受容器８があり、該受容器８の後側の開口部６近くに設けられたボス部を揺動支持部４に嵌め合わされて揺動軸線３の周りに揺動可能に支持されている。受容器８の上部には揺動軸線３と略平行且つ開口部６を被う周縁手段９と内側の被い部１０を有しその後ろ側を揺動支持部４に揺動可能に支持された蓋１１が設けてある。周縁手段９部分には蓋の周縁部に受容器の開口部６の内側にぴったり密接するシールリング２０が嵌まっている。受容器８の後側の下部に連結ピンのボス部２７が設けてあり、該ボス部２７にピン２８を介して後リンク１２の下端部が前後に回転自在に連結されている。一方、蓋１１の略中央部に連結ピンのボス部２９が設けてあり、該ボス部２９にピン３０を介して前リンク１３の下端部が前後に回転自在に連結されている。柄部２にはパイプで造られた操作ロッド手段１６が上下に滑動可能に嵌め合わされている。該操作ロッド手段１６の下部には後リンク１２と前リンク１３の各々上端側をピン３１及び３２を介して前後方向に回転自在に連結保持するリンク保持部１４が設けてある。
把持部１′の下側にある操作ロッド手段１６の上端部には後方に引き金状に伸びる操作レバー２１が固定に設けてあり、操作部１５をなしている。操作レバー２１の内側下部には該操作レバー２１にピン２２の揺動保持手段により支持され前後方向にシーソーに揺動するくの字形の止めレバー２３が設けてある。該止めレバー２３はその下端に前方に突出する止めピン３３を備えている。一方、柄部２には操作部１５側の外周部に下から順に止め孔３４、３５、３６が設けてある。
そこで、把持部１′を持つ手の指で操作レバー２１を操作して操作ロッド手段１６を符号Ｌから符号Ｔまでの間を上下に移動させることが出来る。
図１は操作レバー２１が符号Ｌの位置にあって、蓋１１がされ柄部２を縦（垂直）にした状態を示している。止めレバー２３は押されており、操作ロッド１６は動きが止められて受容器８と蓋１１を動かないように保持している。
通常は、この縦にした状態で持ち歩く。受容器８は略水平になり蓋１１は確りと塞がれており、糞がこぼれ出る恐れがない。
ここで、糞の排出は図４のように縦にした状態で行うことが出来る。止めレバー２３を操作して図のように操作レバー２１を符号Ｔの位置まで移動させる。操作部１５がこの位置に保持される時に、受容器８の開口部６と蓋１１は前方に大きく開かれる。
図５は柄部２が垂直方向に対して４５°後ろ側に傾いた状態で、操作レバー２１が中間の符号Ｍの位置にある状態で描かれている。図示の位置において受容器８と蓋１１は前側に傾いて開口部６が略水平に開いており、排糞中の捕捉に適した向きで開口部６の前側が開かれている。
【手続補正書】
【提出日】平成18年1月10日(2006.1.10)
【手続補正１】
【補正対象書類名】特許請求の範囲
【補正対象項目名】全文
【補正方法】変更
【補正の内容】
【特許請求の範囲】
【請求項１】
把持部より先方へ棒状に長く伸び出す柄部の先に少なくとも一箇所の該柄部と直角方向の揺動軸線を有する揺動支持部を備える柄と、前記揺動軸線と略平行に開く開口部と窪んだ内壁部を有しその開口部付近の後ろ側の一箇所を前記揺動支持部に嵌め合わされ前記揺動軸線の周りに揺動可能に支持された受容器と、前記揺動軸線と略平行且つ前記開口部を密に接近して被う周縁手段と内側の被い部を有しその周縁部付近の後ろ側の一箇所を前記揺動支持部に嵌め合わされ前記受容器と対向方向に揺動可能に支持された蓋と、前記受容器の外壁の一部にその下端部を前後に回転自在に連結された後リンクと、前記蓋の一部にその下端部を前後に回転自在に連結された前リンクと、前記柄部上に移動可能に保持されその下部に前記後リンクと前記前リンクの各々上端側を前後に回転自在に連結保持するリンク保持部とその上部の移動と保持の操作部を固定に備える操作ロッド手段を有することを特徴とする犬糞等の捕捉運び器具。
【請求項２】
把持部より先方へ棒状に長く伸び出す柄部の先に該柄部と直角方向で且つ互いに平行な揺動軸線を有する受容器の揺動支持部と蓋の揺動支持部をそれぞれ備える柄と、前記揺動軸線と略平行に開く開口部と窪んだ内壁部を有しその開口部付近の後ろ側の一箇所を前記受容器の揺動支持部に嵌め合わされその揺動軸線の周りに揺動可能に支持された受容器と、前記揺動軸線と略平行且つ前記開口部を密に接近して被う周縁手段と内側の被い部を有する蓋と、前記蓋の略中央部に設けた連結ピンのボス部にピンを介してその前側を連結されその後ろ側を前記蓋の揺動支持部に支持され前記蓋と共に受容器と対向方向に揺動可能な揺動リンクと、前記受容器の外壁の一部にその下端部を前後に回転自在に連結された後リンクと、前記蓋の外壁の一部にその下端部を前後に回転自在に連結された前リンクと、前記柄部上に移動可能に保持されその下部に前記後リンクと前記前リンクの各々上端側を前後に回転自在に連結保持するリンク保持部とその上部の移動と保持の操作部を固定に備える操作ロッド手段を有することを特徴とする犬糞等の捕捉運び器具。
【請求項３】
操作ロッド手段の操作部に柄部に交差する方向の一方側に突出する操作レバーと、前記操作レバー内に揺動保持手段により保持され上下方向に揺動し少なくともその一部を前記操作レバーの上側に露出するレバー部と前後方向に揺動する元部側の止め突起と前記揺動保持手段の下側に設けた歯を有する上側の止めレバーと、前記操作レバー内に揺動保持手段に前記上側の止めレバーと対称形に保持され少なくともその一部を前記操作レバーの下側に露出するレバー部とその揺動保持手段の上側に前記上側の止めレバーの前記歯と噛合う歯からなる揺動連結部を形成し前記上側の止めレバーと対向する方向に揺動する下側の止めレバーと、前記上下両止めレバーのレバー部の間に設けられた開きバネと、前記柄部の操作部側の外周部の前記止め突起が突出する位置に開けられた止め孔を有することを特徴とする請求項１及び２記載の犬糞等の捕捉運び器具。
【手続補正書】
【提出日】平成18年2月22日(2006.2.22)
【手続補正１】
【補正対象書類名】特許請求の範囲
【補正対象項目名】請求項１
【補正方法】変更
【補正の内容】
【請求項１】
把持部より先方へ棒状に長く伸び出す柄部の先に少なくとも一箇所の該柄部と直角方向の揺動軸線を有する揺動支持部を備える柄と、前記揺動軸線と略平行に開く開口部と窪んだ内壁部を有しその開口部付近の後ろ側の一箇所を前記揺動支持部に嵌め合わされ前記揺動軸線の周りに揺動可能に支持された受容器と、前記揺動軸線と略平行且つ前記開口部を密に接近して被う周縁手段と内側の被い部を有しその周縁部付近の後ろ側の一箇所を前記揺動支持部に嵌め合わされ前記受容器と対向方向に揺動可能に支持された蓋と、前記受容器の外壁の一部にその下端部を前後に回転自在に連結された後リンクと、前記蓋の一部にその下端部を前後に回転自在に連結された前リンクと、前記柄部上に移動可能に保持され前記後リンクと前記前リンクの各々上端側を前後に回転自在に連結保持するリンク保持部と操作部を備える操作ロッド手段を有することを特徴とする犬糞等の捕捉運び器具。
【手続補正２】
【補正対象書類名】特許請求の範囲
【補正対象項目名】請求項２
【補正方法】変更
【補正の内容】
【請求項２】
把持部より先方へ棒状に長く伸び出す柄部の先に該柄部と直角方向で且つ互いに平行な揺動軸線を有する受容器の揺動支持部と蓋の揺動支持部をそれぞれ備える柄と、前記揺動軸線と略平行に開く開口部と窪んだ内壁部を有しその開口部付近の後ろ側の一箇所を前記受容器の揺動支持部に嵌め合わされその揺動軸線の周りに揺動可能に支持された受容器と、前記揺動軸線と略平行且つ前記開口部を密に接近して被う周縁手段と内側の被い部を有しその周縁部付近の後ろ側の一箇所を前記蓋の揺動支持部に嵌め合わされ前記受容器と対向方向に揺動可能に支持された蓋と、前記受容器の外壁の一部にその下端部を前後に回転自在に連結された後リンクと、前記蓋の外壁の一部にその下端部を前後に回転自在に連結された前リンクと、前記柄部上に移動可能に保持され前記後リンクと前記前リンクの各々上端側を前後に回転自在に連結保持するリンク保持部と操作部を備える操作ロッド手段を有することを特徴とする犬糞等の捕捉運び器具。
【手続補正３】
【補正対象書類名】特許請求の範囲
【補正対象項目名】請求項３
【補正方法】変更
【補正の内容】
【請求項３】
操作ロッド手段の操作部に柄部に交差する方向の一方側に突出する操作レバーと、前記操作レバー内に揺動保持手段により保持され上下方向に揺動し少なくともその一部を前記操作レバーの上側に露出するレバー部と前後方向に揺動する元部側の止め突起と前記揺動保持手段の下側に設けた歯を有する上側の止めレバーと、前記操作レバー内に揺動保持手段に前記上側の止めレバーと対称形に保持され少なくともその一部を前記操作レバーの下側に露出するレバー部とその揺動保持手段の上側に前記上側の止めレバーの前記歯と噛合う歯からなる揺動連結部を形成し前記上側の止めレバーと対向する方向に揺動する下側の止めレバーと、前記上下両止めレバーのレバー部の間に設けられた開きバネと、前記柄部の操作部側の外周部の前記止め突起が突出する位置に開けられた止め孔を有することを特徴とする請求項１又は２記載の犬糞等の捕捉運び器具。
【手続補正書】
【提出日】平成18年2月22日(2006.2.22)
【手続補正１】
【補正対象書類名】明細書
【補正対象項目名】０００４
【補正方法】変更
【補正の内容】
【０００４】
上記目的を達成するために、本発明は、把持部より先方へ棒状に長く伸び出す柄部の先に少なくとも一箇所の該柄部と直角方向の揺動軸線を有する揺動支持部を備える柄と、前記揺動軸線と略平行に開く開口部と窪んだ内壁部を有しその開口部付近の後ろ側の一箇所を前記揺動支持部に嵌め合わされ前記揺動軸線の周りに揺動可能に支持された受容器と、前記揺動軸線と略平行且つ前記開口部を密に接近して被う周縁手段と内側の被い部を有しその周縁部付近の後ろ側の一箇所を前記揺動支持部に嵌め合わされ前記受容器と対向方向に揺動可能に支持された蓋と、前記受容器の外壁の一部にその下端部を前後に回転自在に連結された後リンクと、前記蓋の一部にその下端部を前後に回転自在に連結された前リンクと、前記柄部上に移動可能に保持され前記後リンクと前記前リンクの各々上端側を前後に回転自在に連結保持するリンク保持部と操作部を備える操作ロッド手段を有することを特徴とする犬糞等の捕捉運び器具である。
そこで、前記操作ロッド手段が一方位置に移動して保持される時に前記受容器が前記柄部と略直角に上向きになりその上部に前記蓋が下向きに被さり前記周縁手段が前記受容器の前記開口部を塞ぎ、前記操作ロッド手段が他方の位置に移動して保持される時に前記受容器と前記蓋が前記柄部の一方側に大きく傾いて開き、前記操作ロッド手段がその移動の中間の位置に保持される時に前記受容器の前記開口部が糞の捕捉に適した傾きで開かれる。
【手続補正２】
【補正対象書類名】明細書
【補正対象項目名】０００５
【補正方法】変更
【補正の内容】
【０００５】
さらに又、本発明は把持部より先方へ棒状に長く伸び出す柄部の先に該柄部と直角方向で且つ互いに平行な揺動軸線を有する受容器の揺動支持部と蓋の揺動支持部をそれぞれ備える柄と、前記揺動軸線と略平行に開く開口部と窪んだ内壁部を有しその開口部付近の後ろ側の一箇所を前記受容器の揺動支持部に嵌め合わされその揺動軸線の周りに揺動可能に支持された受容器と、前記揺動軸線と略平行且つ前記開口部を密に接近して被う周縁手段と内側の被い部を有しその周縁部付近の後ろ側の一箇所を前記蓋の揺動支持部に嵌め合わされ前記受容器と対向方向に揺動可能に支持された蓋と、前記受容器の外壁の一部にその下端部を前後に回転自在に連結された後リンクと、前記蓋の外壁の一部にその下端部を前後に回転自在に連結された前リンクと、前記柄部上に移動可能に保持され前記後リンクと前記前リンクの各々上端側を前後に回転自在に連結保持するリンク保持部と操作部を備える操作ロッド手段を有する犬糞等の捕捉運び器具とすることも出来る。